(57)【要約】【課題】  天照石の作用を利用し、人体に吸収・消化されやすい波動を帯びた良質の飲用水を製造して、人体の健康維持に好適な飲料水を製造する健康飲料及びその製造方法並びに健康飲料製造用容器を提供する。【解決手段】  焼物用粘土に天照石の粉末を加えて健康飲料製造用容器を焼成し、その健康飲料製造用容器に、シャクナゲの成分抽出液を貯留することによってシャクナゲの成分抽出液を改質し、その改質後のシャクナゲの成分抽出液に、製造者自身の尿の磁気特性を印加して量子波動矯正水を製造し、一方、前記健康飲料製造用容器に、飲用水を貯留することによって飲用水を改質し、そして、前記量子波動矯正水を前記改質後の飲用水によって希釈する。【選択図】        図１
2005342654.tif 000002
【特許請求の範囲】
【請求項１】
焼物用粘土に天照石の粉末を加えて混練し、焼成した健康飲料製造用容器。
【請求項２】
焼物用粘土に対して天照石を質量比５〜９０％加えて混練し、焼成した健康飲料製造用容器。
【請求項３】
請求項１又は２記載の健康飲料製造用容器に、飲用水、シャクナゲの成分抽出液のうちいずれかを貯留することによって、それら貯留した液体を改質する健康飲料の製造方法。
【請求項４】
請求項１又は２記載の健康飲料製造用容器にシャクナゲの成分抽出液を貯留することによってシャクナゲの成分抽出液を改質し、その改質後のシャクナゲの成分抽出液に、製造者自身の尿の磁気特性を印加して量子波動矯正水を製造し、
一方、請求項１又は２記載の健康飲料製造用容器に飲用水を貯留することによって飲用水を改質し、
前記量子波動矯正水を前記改質後の飲用水によって希釈することを特徴とする健康飲料の製造方法。
【請求項５】
請求項３〜４いずれか記載の方法によって得られる健康飲料。
【発明の詳細な説明】
【技術分野】
【０００１】
本発明は特殊健康飲料及びその製造方法並びに健康飲料製造容器に関し、特に、まな健康水（微弱磁気共鳴の特性を変化させた飲用水）及びその製造方法並びにまなの壷（天照石による水質を変える容器）に関する。
【背景技術】
【０００２】
従来より、成人病等の様々な病気の原因は、ＤＮＡに悪影響を与える酵素やホルモン、タンパク質等の物質により、免疫力を低下させることにより生じるものと考えられている。
一方、大気汚染や土壌汚染の進行により、飲料水の水源である河川の汚染が進行し、水道水は、酸化力が強く塩素等の有害物質を含んでいるため、これらの水を常用することは人体の免疫力を低下させる結果となる。
このように、地球全体をとりまく汚染要因から、日常的に飲用する水の汚染も深刻化してきている。
そこで、これらの水を浄化して飲用とする技術として特開２００４−１６０４６号公報記載の技術が知られている。
【特許文献１】特開２００４−１６０４６号公報
【発明の開示】
【発明が解決しようとする課題】
【０００３】
しかしながら、特開２００４−１６０４６号公報記載の技術は、水にビタミン、カルシウム等の物質を化学物質を混合する構成であるため、水自体を本質を改質することはできない。
本発明の目的とするところは、天照石の作用を利用し、人体に吸収・消化されやすい波動を帯びた良質の飲用水を製造して、人体の健康維持に好適な飲料水を製造する健康飲料及びその製造方法並びに健康飲料製造用容器を提供することにある。
【課題を解決するための手段】
【０００４】
前記目的を達成するための手段として請求項１記載の健康飲料製造用容器では、焼物用粘土に天照石の粉末を加えて混練し、焼成する構成とした。
【０００５】
請求項２記載の健康飲料製造用容器では、焼物用粘土に対して天照石を質量比５〜９０％加えて混練し、焼成する構成とした。
尚、容器の形状、大きさにより焼成温度や配合質量比を変えることが可能である。
【０００６】
請求項３記載の健康飲料の製造方法では、請求項１又は２記載の健康飲料製造用容器に、飲用水、シャクナゲの成分抽出液のうちいずれかを貯留することによって、それら貯留した液体を改質する方法とした。
【０００７】
請求項４記載の健康飲料の製造方法では、請求項１又は２記載の健康飲料製造用容器にシャクナゲの成分抽出液を貯留することによってシャクナゲの成分抽出液を改質し、その改質後のシャクナゲの成分抽出液に、製造者自身の尿の磁気特性を印加して量子波動矯正水を製造し、一方、請求項１又は２記載の健康飲料製造用容器に飲用水を貯留することによって飲用水を改質し、前記量子波動矯正水を前記改質後の飲用水によって希釈することを特徴とする健康飲料の製造方法。
【０００８】
請求項５記載の健康飲料は、請求項３〜４いずれか記載の方法によって得られる。
【発明の効果】
【０００９】
本発明は、天照石から発せられるエネルギーの作用によって水を改質するので、これらを飲用することにより、人体を健康に好適に維持することができる。
特に、天照石の作用に加え、「量子論のゆらぎ」を変えることにより、超微弱磁気共鳴の性質を変える量子波動矯正水が製造される。この測定データの例を図２に示す。
この水を飲用することにより、水が体内酵素やホルモンの作用を変え、免疫力が強化される。そして、ＤＮＡの働きを変化させ、成人病や癌など病気を治療、及び予防する作用が得られる。
また、天照石の作用により、シャクナゲの毒性をホメオパシー医学の手法でレメディー（薬の一種）して、人体に薬効のある飲用水が製造される。
【発明を実施するための最良の形態】
【００１０】
以下に、本発明の健康飲料及びその製造方法並びに健康飲料製造用容器を実現する最良の形態を説明する。
本発明の健康飲料製造用容器は、陶磁器、煉瓦、瓦等を製造する際に使用する粘土に、天照石を混合し、その混練物を焼成して製造したものであり、天照石から発するエネルギーを利用し、水を改質して健康に好適な水を製造するものである。
【００１１】
ここで、天照石とは、宮崎県と大分県の県境の深山霊峰で発見された天然鉱石で、およそ二万年以上前に生成されたといわれ、高千穂地方でしか採れないことから 「天照石」 と呼ばれている。この天照石は、とても不思議なエネルギーがあり、高千穂に登山すると肩こりが治ったとか、体が軽くなったなどという話が、昔から言い伝られていたところ、人体に有益な素晴らしい力を持つ石であることが様々な研究によって分かって来ている。
学術名はホルンフェスであり天照石という通称名は他産地の石に対して同様に言われている。不老長寿の妙薬を「まなの壷」と言われているので、本出願では「まなの天照石」と名付けている。テラヘルツを発する岩石をこのように名付けた。
そして、人工衛生による観測により、地球上で高千穂、祖母山系、ヒマラヤ山系、北欧（ノルウェー、フィンランド、スコットランド）の地域から出ているテラヘルツの電磁波が確認されていることから、この現象は「まなの天照石」によるものと考えられている。
【００１２】
高千穂、祖母山系の「やまめ」という魚の大きさは普通の３〜４倍もあり、下流でもアユが大きく、水ごけも他と比べ物にならないくらい大きい。
また、まなの天照石をパウダーにして土に混入すると、植物が驚くほど改良され、１．５倍くらい大きいたまねぎ、おいしく大きいいちご、おいしいお米・・・等ができることが認められている。しかもこの天照石には、害虫を予防する効果もあり、無農薬で野菜ができる有機栽培にも活用されている。また、農作物の残留農薬を除去、あるいは、減少させる効果がある。
【００１３】
「まなの天照石」には以下のような、効果が知られている。
（１）波長が４．０ミクロン〜１４．０ミクロンで位相がずれていないコヒーレントな遠赤外線が放射されており、これが、人体の内部細胞を活性化し、新陳代謝を促進する働きを持っている。
（２）この遠赤外線には、過酸化脂質の形成を抑制する効果があり、それは、血流の促進や動脈硬化、脳血栓、心筋梗塞の改善を促す。
（３）ヒト白血球、リンパ球の機能を亢進させ、免疫機能を向上させる。
（４）また、天照石からは、7,500個/ccのマイナスイオンも放出しており、リフレッシュ効果とリラックス効果からストレスを解消し自律神経が安定し人間が本来持っている自然治癒力を強化する。
（５）抗菌防臭効果と消臭効果があり、衛生面でも安心である。
（６）酸化ケイ素が、ノンストイッキオメトリック・コンポジションの構造（ＳｉＯ２−ｘ）となっているので、水に触れると、酸素原子が取り込まれる形になる。すなわち、還元性の水に変えるので、酸化を防止する作用のある水となる。
また、この石の中に金属状のマグネシウムやナトリウム、カルシウムが含有されているので、水素を水中に溶け込ませた状態になり、水がアルカリ性になる。よって、この水が生物に取り込まれると老廃物を変化させ、生体を活性化したり肥大化する作用がある。
【実施例１】
【００１４】
第１実施例の健康飲料製造用容器の製造方法を説明する。
瓦、陶磁器製造用の粘土をバインダーに用い、これらの粘土に、質量比５〜９０％の天照石の粉末を加えて混練する。混合比率と焼成温度と大きさ、形状を変えることにより、様々なものが製造される。質量比は粘土と同一の含水率の場合の比較である。次に、一般的手法により色、形状等を整え、燒結して容器または陶片を製造する。
陶磁器製造用の粘土は、けいそう土、磁気、アルミナ、炭素、黒鉛素地が主体となる。
容器は外側に釉薬を塗布して、液体を貯留できるように防水処理を行う。
陶片は、透過性多孔体であり、微細孔を有して、水との接触面積が広く確保されている。
【００１５】
前記手法によって製造された健康飲料製造用容器は、微細孔の内部の天照石、粘土、水からなる三相帯の作用により、水がそれらに接触することによって、水の還元性を引き出す化学的作用が強められ、水の特性が、抗酸化物になるなど変化し、この水を飲用することにより、人体に好適な影響を与える。
また、後述するが、シャクナゲの成分に作用して、科学的、物理的作用を引き出す。
【実施例２】
【００１６】
次に、第２実施例の健康飲料の製造方法について説明する。
（１）シャクナゲの葉を天日にて乾燥し、これを第１実施例において製造した健康飲料製造用容器（まなの壷）の中に詰め込み、水を入れ１ヶ月程度常温にて貯留保管する。
（２）（１）で製造した水溶液約５００ｍｌに、製造者自身の尿の磁気特性を変えて印加し、量子波動矯正水を製造する。
（３）第１実施例で説明した健康飲料製造用容器（まなの壷）の中に、天然水、活性水素水、電子水素水、ミネラルウォーター等の飲用水を長時間（１ヶ月程度）入れて貯留保管する。
（４）（２）で製造した量子波動矯正水に、（３）の水溶液を加えて２００〜１０００倍程度に希釈する。この希釈水を毎日１０００〜１５００ｍｌ飲用することにより、人体に好適な影響が得られる。
【００１７】
ここで、量子波動矯正水とは、図１に示す量子波動矯正水製造装置によって、自己の尿の磁気特性を変えて印加した水である。
この量子波動矯正水製造装置は、自己の尿をポリエチレン等の容器に封入してＢにセットすると、磁気データを測定し、その測定結果を病状を色々抑制すべく、変化させるべくコンピュータから印加する機能を有している。
そして、自己の尿をＢにセットし、そのＢに隣接してＡの部位にミネラルウォーターまたは前記（１）で製造した水溶液を容器に密閉してセットして装置を作動すると、Ｂにセットした尿の磁気波動が、Ａにセットした水溶液に印加（転写）され、Ａにセットした水溶液が量子波動矯正水となる。
前記（２）の量子波動矯正水はこの装置を使用して、自己の尿の磁気波動を印加（転写）したものである。
【００１８】
尚、健康飲料製造用容器（まなの壷）の中に、第１実施例で説明した陶片を水と共に、浸漬して水との接触面積を増加させる方法としても良い。
また、シャクナゲの成分を水によって抽出するが、シャクナゲの搾汁等を添加しても良く、また、エタノール等の溶剤を使用して成分を抽出することも可能である。
シャクナゲの葉から得られた成分抽出液は毒性があるが、健康飲料製造用容器に貯留して改質することにより、そして、希釈することにより毒性がホメオパシー医学の手法でレメディー（薬的作用をする食品）となり、人体に好適な影響が得られる。
【実施例３】
【００１９】
第３実施例の健康飲料の製造方法は、前記健康飲料製造用容器（まなの壷）の中に、天然水、活性水素水、電子水素水、ミネラルウォーター等の飲用水を長時間（１ヶ月程度）入れて貯留保管したものである。
これらの飲用水を健康飲料製造用容器に貯留することにより、天照石の作用により改質されて、健康に好適な飲料水が製造される。
【実施例４】
【００２０】
第４実施例の健康飲料の製造方法は、前記健康飲料製造用容器（まなの壷）の中に、シャクナゲの葉を長時間（１ヶ月程度）入れて貯留保管したものである。
このシャクナゲの葉を貯留することにより、天照石の作用により改質されて、毒性が緩和されると共に、健康に好適な飲料用の液体が製造される。
【００２１】
以上、本発明の実施例を説明したが、本発明の具体的な構成は前記実施例に限定されるものではなく、発明の要旨を逸脱しない範囲の設計変更などがあっても本発明に含まれる。
【図面の簡単な説明】
【００２２】
【図１】量子波動矯正水製造装置の概略図である。
【図２】量子波動矯正水の測定データを示す図である。
【図１】
2005342654.tif 000003
【図２】
2005342654.tif 000004